(57)【要約】【課題】  本発明の課題は、省エネルギー化の促進を実現することができる換気システムを提供することにある。【解決手段】  換気システム１は、複数の給気路４９，５１ａ，５１ｂ，５２ａ，５２ｂ、複数の外気状態情報取得手段６０ａ，６０ｂ、および給気方法決定手段９０を備える。給気路は、外気を給気として建造物に設けられる居室Ｓ１に供給するための空気通路である。外気状態情報取得手段は、給気路それぞれの屋外側の端口５５ａ，５５ｂまたはその近傍に設けられており、外気の状態情報を取得する。給気方法決定手段は、複数の外気状態情報取得手段において取得された複数の外気の状態情報を利用して複数の給気路のうちいずれの給気路を通じて外気を給気として居室に供給するかを決定する。【選択図】      図１
2006098006.tif 000002
【特許請求の範囲】
【請求項１】
建造物の屋外の空気である外気を給気として前記建造物に設けられる居室（Ｓ１）に供給するための複数の給気路（４９，５１ａ，５１ｂ，５２ａ，５２ｂ，１５１ａ，１５１ｂ）と、
前記給気路それぞれの屋外側の端口（５５ａ，５５ｂ，１５５ａ，１５５ｂ）またはその近傍に設けられ、前記外気の状態情報を取得する複数の外気状態情報取得手段（６０ａ，６０ｂ）と、
前記複数の外気状態情報取得手段において取得された複数の前記外気の状態情報を利用して前記複数の給気路のうちいずれの前記給気路を通じて前記外気を前記給気として前記居室に供給するかを決定する給気方法決定手段（９０）と、
を備える、換気システム（１，１０１）。
【請求項２】
建造物の屋外の空気である外気を給気として前記建造物に設けられる居室（Ｓ１）に供給するための複数の給気路（２５１ａ，２５１ｂ，３５１ａ，３５１ｂ，４５１ａ，４５１ｂ）と、
時刻情報を取得する時刻情報取得手段（２００）と、
前記時刻情報に基づいて前記複数の給気路のうちいずれの前記給気路を通じて前記外気を前記給気として前記居室に供給するかを決定する給気方法決定手段（２９０，３９０，４９０）と、
を備える、換気システム（２０１，３０１，４０１）。
【請求項３】
前記給気路と前記時刻情報とを関連づけるテーブルである第１関連テーブル（ＴＢ３）を保持する第１関連テーブル保持手段（２９７）をさらに備え、
前記給気方法決定手段は、前記時刻情報を前記第１関連テーブルに照合して前記複数の給気路のうちいずれの前記給気路を通じて前記外気を前記給気として前記居室に供給するかを決定する、
請求項２に記載の換気システム（２０１，３０１，４０１）。
【請求項４】
前記給気路と前記給気路の屋外側の端口である屋外端口が設けられる方位情報とを関連づけるテーブルである第２関連テーブルを保持する第２関連テーブル保持手段と、
前記時刻情報に対して方位情報を重み付けしたテーブルである第３関連テーブル（ＴＢ２）を保持する第３関連テーブル保持手段（２９７）と、
前記第２関連テーブルと前記第３関連テーブルとを利用して前記第１関連テーブルを導出する第１関連テーブル導出手段（２９０，３９０，４９０）と、
をさらに備える、請求項３に記載の換気システム（２０１，３０１，４０１）。
【請求項５】
前記関連テーブルの給気路は、取捨選択可能である、
請求項３または４に記載の換気システム（２９０，３９０，４９０）。
【請求項６】
前記関連テーブルは、１年を所定の数で分割した期間のうち特定の期間に対して用意される、
請求項３から５のいずれかに記載の換気システム（２０１，３０１，４０１）。
【請求項７】
前記関連テーブルは、１年を所定の数で分割した期間毎に用意される、
請求項３から５のいずれかに記載の換気システム（２０１，３０１，４０１）。
【請求項８】
前記複数の給気路それぞれには、前記給気路の開閉を行う開閉装置（１１５，３１５ａ，３１５ｂ）が設けられ、
前記給気方法決定手段は、複数の前記開閉装置それぞれについて開閉状態を決定する、
請求項１から７のいずれかに記載の換気システム（１０１，２０１，３０１）。
【請求項９】
前記複数の給気路それぞれには、送風装置（１６，１１０ａ，１１０ｂ，２１０ａ，２１０ｂ）が設けられ、
前記給気方法決定手段は、複数の前記送風装置それぞれについて稼働停止を決定する、
請求項１から８のいずれかに記載の換気システム（１，１０１，２０１）。
【請求項１０】
前記複数の給気路は、居室側に向かって合流している、
請求項１から９のいずれかに記載の換気システム（１，１０１，３０１，４０１）。
【請求項１１】
前記複数の給気路は、居室側に向かって合流しており、
前記給気路の合流点には、いずれかの前記給気路を開放し残りの前記給気路を遮断する開放遮断装置（４１５）が設けられ、
前記給気方法決定手段は、前記開放遮断装置の状態を決定する、
請求項１から７のいずれかに記載の換気システム（４０１）。
【請求項１２】
前記給気路の前記合流点の居室側には、送風装置（３１２，４１２）が設けられる、
請求項１１に記載の換気システム。
【請求項１３】
前記居室の空気である居室空気を排気として前記屋外へ排出するための排出路（４８）と、
前記給気に含まれる熱と前記排気に含まれる熱とを交換可能である熱交換部材（１２）と、
をさらに備える、請求項１から１２のいずれかに記載の換気システム（１）。
【請求項１４】
所定期間毎に前記居室に必要な前記給気の量である給気必要量を決定する給気必要量決定手段（９０，２９０，３９０，４９０）と、
前記給気必要量（Ｑｒ）と給気可能最大量（Ｑｍａｘ）との大小を比較する比較手段（９０，２９０，３９０，４９０）と、
前記給気必要量が前記給気可能最大量よりも小さい場合に限って、前記給気方法決定手段を実行させる給気方法決定手段選択実行手段（９０，２９０，３９０，４９０）と、
をさらに備える、請求項１から１３のいずれかに記載の換気システム（１，１０１，２０１，３０１，４０１）。
【発明の詳細な説明】
【技術分野】
【０００１】
本発明は、建造物の居室の換気を行う換気システムに関する。
【背景技術】
【０００２】
従来から、ビル等の建造物には居住者の健康や居室の快適性などを損なわないように換気装置や換気システムが導入されている（例えば、特許文献１参照）。
【特許文献１】特許２６１６２９９号明細書
【発明の開示】
【発明が解決しようとする課題】
【０００３】
ところで、近年、社会の省エネルギー化の促進が要望されている。
本発明の課題は、省エネルギー化の促進を実現することができる換気システムを提供することにある。
【課題を解決するための手段】
【０００４】
第１発明に係る換気システムは、複数の給気路、複数の外気状態情報取得手段、および給気方法決定手段を備える。給気路は、外気を給気として建造物に設けられる居室に供給するための空気通路であって、例えば、建造物の外壁に設けられた貫通孔、換気扇の枠体や空気ダクト等によって形成されている空気通路、全熱交換器ならびに全熱交換器から屋外側および居室側に向かって延びる空気ダクトによって形成される空気通路等である。また、給気路はそれぞれが独立して居室に至っていてもよいし居室側に向かって合流していてもよい。また、ここにいう「外気」とは、建造物の屋外の空気を意味する。外気状態情報取得手段は、給気路それぞれの屋外側の端口またはその近傍に設けられており、外気の状態情報を取得する。なお、ここにいう「外気の状態情報」とは、例えば、温度、湿度、不快指数、あるいはエンタルピー等の情報である。給気方法決定手段は、複数の外気状態情報取得手段において取得された複数の外気の状態情報を利用して複数の給気路のうちいずれの給気路を通じて外気を給気として居室に供給するかを決定する。
【０００５】
この換気システムでは、給気方法決定手段が、複数の外気状態情報取得手段において取得された複数の外気の状態情報を利用して複数の給気路のうちいずれの給気路を通じて外気を給気として居室に供給するかを決定する。複数の給気路の屋外側の端口が例えば建造物の南北あるいは東西などに配置されている場合、太陽との位置関係などが原因で給気路の屋外側の端口付近の外気の温度などに差が生じることがある。このような場合において、この換気システムでは、例えば、空気調和装置が居室を冷房している場合、冷房負荷が最も低くなる外気（例えば、最も温度が低い外気など）のみを選択的に居室に供給することができる。また、逆に、この換気システムでは、空気調和装置が居室を暖房している場合、暖房負荷が最も低くなる外気（例えば、最も温度が高い外気など）のみを選択的に居室に供給することができる。したがって、この換気システムでは、居室に空気調和装置が設けられている場合において、空気調和装置の消費エネルギー量を低減することができる。この結果、この換気システムでは、省エネルギー化の促進を実現することができる。
【０００６】
第２発明に係る換気システムは、複数の給気路、時刻情報取得手段、および給気方法決定手段を備える。給気路は、外気を給気として建造物に設けられる居室に供給するための空気通路であって、例えば、建造物の外壁に設けられた貫通孔、換気扇の枠体や空気ダクト等によって形成されている空気通路、全熱交換器ならびに全熱交換器から屋外側および居室側に向かって延びる空気ダクトによって形成される空気通路等である。また、給気路はそれぞれが独立して居室に至っていてもよいし居室側に向かって合流していてもよい。また、ここにいう「外気」とは、建造物の屋外の空気を意味する。時刻情報取得手段は、時刻情報を取得する。給気方法決定手段は、時刻情報に基づいて複数の給気路のうちいずれの給気路を通じて外気を給気として居室に供給するかを決定する。
【０００７】
この換気システムでは、給気方法決定手段が、時刻情報に基づいて複数の給気路のうちいずれの給気路を通じて外気を給気として居室に供給するかを決定する。複数の給気路の屋外側の端口が例えば建造物の南北あるいは東西などに配置されている場合、太陽との位置関係などが原因で給気路の屋外側の端口付近の外気の温度などに差が生じることがあり、また、それは時刻によって変動する。このような場合において、この換気システムでは、例えば、空気調和装置が居室を冷房している場合、その時刻において冷房負荷が最も低くなる外気（例えば、最も温度が低い外気など）のみを選択的に居室に供給することができる。また、逆に、この換気システムでは、空気調和装置が居室を暖房している場合、その時刻において暖房負荷が最も低くなる外気（例えば、最も温度が高い外気など）のみを選択的に居室に供給することができる。したがって、この換気システムでは、居室に空気調和装置が設けられている場合において、空気調和装置の消費エネルギー量を低減することができる。この結果、この換気システムでは、省エネルギー化の促進を実現することができる。
【０００８】
第３発明に係る換気システムは、第２発明に係る換気システムであって、第１関連テーブル保持手段をさらに備える。第１関連テーブル保持手段は、第１関連テーブルを保持する。第１関連テーブルは、給気路と時刻情報とを関連づけるテーブルである。そして、給気方法決定手段は、時刻情報を第１関連テーブルに照合して複数の給気路のうちいずれの給気路を通じて外気を給気として居室に供給するかを決定する。
【０００９】
この換気システムでは、第１関連テーブル保持手段が、第１関連テーブルを保持する。そして、給気方法決定手段が、時刻情報を第１関連テーブルに照合して複数の給気路のうちいずれの給気路を通じて外気を給気として居室に供給するかを決定する。このため、この換気システムでは、容易に給気路の選択を行うことができる。
第４発明に係る換気システムは、第３発明に係る換気システムであって、第２関連テーブル保持手段、第３関連テーブル保持手段、および第１関連テーブル導出手段をさらに備える。第２関連テーブル保持手段は、第２関連テーブルを保持する。第２関連テーブルは、給気路と屋外端口が設けられる方位情報とを関連づけるテーブルである。なお、ここにいう「屋外端口」とは、給気路の屋外側の端口である。第３関連テーブル保持手段は、第３関連テーブルを保持する。第３関連テーブルは、時刻情報に対して方位情報を重み付けしたテーブルである。なお、ここで、方位情報の重み付けは、例えば、空気調和装置が冷房運転する時期では、朝において日が当たらずに最も気温が低くなると思われる西に近い方位に重みを付け、昼においては北に近い方位に重みを付け、夕方においては東に近い方位に重みを付ける等して行われる。第１関連テーブル導出手段は、第２関連テーブルと第３関連テーブルとを利用して第１関連テーブルを導出する。
【００１０】
この換気システムでは、第２関連テーブル保持手段が、第２関連テーブルを保持する。また、第３関連テーブル保持手段が、第３関連テーブルを保持する。そして、第１関連テーブル導出手段が、第２関連テーブルと第３関連テーブルとを利用して第１関連テーブルを導出する。このため、この換気システムでは、第２関連テーブルおよび第３関連テーブルを予め用意していれば、自動的に第１関連テーブルが作製され、自動的に最適な屋外端口から給気されるようにすることができる。
【００１１】
第５発明に係る換気システムは、第３発明または第４発明に係る換気システムであって、関連テーブルの給気路は、取捨選択可能である。
この換気システムでは、関連テーブルの給気路が、取捨選択可能である。このため、この換気システムでは、例えば、いずれかの給気路を閉鎖した場合などに容易に換気システムを再構築したり交通量の多い道路に面する屋外端口を有する給気路等を対象から除外したりすることができる。
【００１２】
第６発明に係る換気システムは、第３発明から第５発明のいずれかに係る換気システムであって、関連テーブルは、１年を所定の数で分割した期間のうち特定の期間に対して用意される。
この換気システムでは、関連テーブルが、１年を所定の数で分割した期間のうち特定の期間に対して用意される。このため、この換気システムでは、例えば、夏季や冬季のみに対して関連テーブルを用意しておくことが可能となる。したがって、この換気システムでは、さらに省エネルギー化の促進を実現することができる。
【００１３】
第７発明に係る換気システムは、第３発明から第５発明のいずれかに係る換気システムであって、関連テーブルは、１年を所定の数で分割した期間毎に用意される。
この換気システムでは、関連テーブルが、１年を所定の数で分割した期間毎に用意される。このため、この換気システムでは、例えば、季節単位（３月単位）や月・週単位で関連テーブルを用意しておくことが可能となる。したがって、この換気システムでは、さらに省エネルギー化の促進を実現することができる。
【００１４】
第８発明に係る換気システムは、第１発明から第７発明のいずれかに係る換気システムであって、複数の給気路それぞれには、給気路の開閉を行う開閉装置が設けられる。なお、ここにいう「開閉装置」とは、例えば、ダンパ装置などである。そして、給気方法決定手段は、複数の開閉装置それぞれについて開閉状態を決定する。なお、複数の給気路それぞれに送風装置が設けられていない場合には、給気路の屋外側の端口付近における気圧が高く給気路の居室側の端口付近における気圧が低くなるようにしておく必要がある。
【００１５】
この換気システムでは、複数の給気路それぞれに、給気路の開閉を行う開閉装置が設けられる。そして、給気方法決定手段が、複数の開閉装置それぞれについて開閉状態を決定する。このため、この換気システムでは、容易に給気路の選択を行うことができる。
第９発明に係る換気システムは、第１発明から第８発明のいずれかに係る換気システムであって、複数の給気路それぞれには、送風装置が設けられる。そして、給気方法決定手段は、複数の送風装置それぞれについて稼働停止を決定する。
【００１６】
この換気システムでは、複数の給気路それぞれに、送風装置が設けられる。そして、給気方法決定手段が、複数の送風装置それぞれについて稼働停止を決定する。このため、この換気システムでは、容易に給気路の選択を行うことができる。また、この換気システムでは、給気路の屋外側の端口付近における気圧が高く給気路の居室側の端口付近における気圧が低くなるようにする必要がない。
【００１７】
第１０発明に係る換気システムは、第１発明から第９発明のいずれかに係る換気システムであって、複数の給気路は、居室側に向かって合流している。
この換気システムでは、複数の給気路が、居室側に向かって合流している。このため、この換気システムでは、給気路の居室側の端口を１つにまとめることができる。したがって、この換気システムでは、居室の内装を損なうおそれが生じにくい。
【００１８】
第１１発明に係る換気システムは、第１発明から第７発明のいずれかに係る換気システムであって、複数の給気路は、居室側に向かって合流している。また、給気路の合流点には、いずれかの給気路を開放し残りの給気路を遮断する開放遮断装置が設けられる。なお、ここにいう「開放遮断装置」とは、例えば、多方弁などである。そして、給気方法決定手段は、開放遮断装置の状態を決定する。なお、給気路の合流点の居室側に送風装置が設けられていない場合には、給気路の屋外側の端口付近における気圧が高く給気路の居室側の端口付近における気圧が低くなるようにしておく必要がある。
【００１９】
この換気システムでは、複数の給気路が、居室側に向かって合流している。また、給気路の合流点に、開放遮断装置が設けられる。そして、給気方法決定手段が、開放遮断装置の状態を決定する。このため、この換気システムでは、簡易な構成を採ることが可能であえる。したがって、この換気システムは、低コストで構築することが可能である。また、この換気システムでは、制御対象が１つになるため、制御方法が簡易化される。
【００２０】
第１２発明に係る換気システムは、第１１発明に係る換気システムであって、給気路の合流点の居室側には、送風装置が設けられる。
この換気システムでは、給気路の合流点の居室側に、送風装置が設けられる。このため、この換気システムでは、給気路の屋外側の端口付近における気圧が高く給気路の居室側の端口付近における気圧が低くなるようにする必要がない。
【００２１】
第１３発明に係る換気システムは、第１発明から第１２発明のいずれかに係る換気システムであって、排出路および熱交換部材をさらに備える。排出路は、居室空気を排気として屋外へ排出するための空気通路である。なお、ここにいう「居室空気」とは、居室の空気を意味する。熱交換部材は、給気に含まれる熱と排気に含まれる熱とを交換可能である。なお、ここにいう「熱」とは、顕熱および潜熱のうち少なくともいずれかである。このようなシステム構成は、全熱交換器や顕熱交換器等を利用することによって実現可能である。
【００２２】
この換気システムでは、熱交換部材が、給気に含まれる熱と排気に含まれる熱とを交換可能である。このため、この換気システムでは、さらに省エネルギー化の促進を実現することができる。
第１４発明に係る換気システムは、第１発明から第１３発明のいずれかに係る換気システムであって、給気必要量決定手段、比較手段、および給気方法決定手段選択実行手段をさらに備える。給気必要量決定手段は、所定期間毎に給気必要量を決定する。なお、ここにいう「給気必要量」とは、居室に必要な給気の量である。比較手段は、給気必要量と給気可能最大量との大小を比較する。なお、ここにいう「給気可能最大量」とは、換気システム全体の最大給気能力を意味する。給気方法決定手段選択実行手段は、給気必要量が給気可能最大量よりも小さい場合に限って、給気方法決定手段を実行させる。
【００２３】
この換気システムでは、給気必要量決定手段が、所定期間毎に給気必要量を決定する。次に、比較手段が、給気必要量と給気可能最大量との大小を比較する。そして、給気方法決定手段選択実行手段が、給気必要量が給気可能最大量よりも小さい場合に限って、給気方法決定手段を実行させる。このため、この換気システムでは、法定基準などを遵守することができる。
【発明の効果】
【００２４】
第１発明に係る換気システムでは、例えば、空気調和装置が居室を冷房している場合、冷房負荷が最も低くなる外気（例えば、最も温度が低い外気など）のみを選択的に居室に供給することができる。また、逆に、この換気システムでは、空気調和装置が居室を暖房している場合、暖房負荷が最も低くなる外気（例えば、最も温度が高い外気など）のみを選択的に居室に供給することができる。したがって、この換気システムでは、居室に空気調和装置が設けられている場合において、空気調和装置の消費エネルギー量を低減することができる。この結果、この換気システムでは、省エネルギー化の促進を実現することができる。
【００２５】
第２発明に係る換気システムでは、例えば、空気調和装置が居室を冷房している場合、その時刻において冷房負荷が最も低くなる外気（例えば、最も温度が低い外気など）のみを選択的に居室に供給することができる。また、逆に、この換気システムでは、空気調和装置が居室を暖房している場合、その時刻において暖房負荷が最も低くなる外気（例えば、最も温度が高い外気など）のみを選択的に居室に供給することができる。したがって、この換気システムでは、居室に空気調和装置が設けられている場合において、空気調和装置の消費エネルギー量を低減することができる。この結果、この換気システムでは、省エネルギー化の促進を実現することができる。
【００２６】
第３発明に係る換気システムでは、容易に給気路の選択を行うことができる。
第４発明に係る換気システムでは、第２関連テーブルおよび第３関連テーブルを予め用意していれば、自動的に第１関連テーブルが作製され、自動的に最適な屋外端口から給気されるようにすることができる。
第５発明に係る換気システムでは、例えば、いずれかの屋外端口を閉鎖した場合などに容易に換気システムを再構築したり交通量の多い道路に面する屋外端口等を対象から除外したりすることができる。
【００２７】
第６発明に係る換気システムでは、例えば、夏季や冬季のみに対して関連テーブルを用意しておくことが可能となる。したがって、この換気システムでは、さらに省エネルギー化の促進を実現することができる。
第７発明に係る換気システムでは、例えば、季節単位（３月単位）や月・週単位で関連テーブルを用意しておくことが可能となる。したがって、この換気システムでは、さらに省エネルギー化の促進を実現することができる。
【００２８】
第８発明に係る換気システムでは、容易に給気路の選択を行うことができる。
第９発明に係る換気システムでは、容易に給気路の選択を行うことができる。また、この換気システムでは、給気路の屋外側の端口付近における気圧が高く給気路の居室側の端口付近における気圧が低くなるようにしなくてもよい。
第１０発明に係る換気システムでは、給気路の居室側の端口を１つにまとめることができる。したがって、この換気システムでは、居室の内装を損なうおそれが生じにくい。
【００２９】
第１１発明に係る換気システムでは、簡易な構成を採ることが可能であえる。したがって、この換気システムは、低コストで構築することが可能である。また、この換気システムでは、制御対象が１つになるため、制御方法が簡易化される。
第１２発明に係る換気システムでは、給気路の屋外側の端口付近における気圧が高く給気路の居室側の端口付近における気圧が低くなるようにしなくてもよい。
【００３０】
第１３発明に係る換気システムでは、さらに省エネルギー化の促進を実現することができる。
第１４発明に係る換気システムでは、法定基準などを遵守することができる。
【発明を実施するための最良の形態】
【００３１】
＜第１実施形態＞
［換気システム］
ここでは、図１から図１６までの図面を参照しながら本発明の第１実施形態に係る換気システムについて説明する。
この換気システム１は、図１に示されるように、主に、空気調和装置の室内ユニット７０、全熱交換器１０ａ，１０ｂ、排気グリル８０ａ，８０ｂ、温湿度センサ６０ａ，６０ｂ、およびシステム制御装置９０から構成される。以下、これらの各構成部品について詳述する。
【００３２】
（１）空気調和装置の室内ユニット
本実施の形態に係る空気調和装置の室内ユニット７０は、図１、図２、および図３に示されるように、天井埋設カセット型の室内ユニットであって、居室Ｒ１の天井裏に埋設されている。この室内ユニット７０は、設置時に天井に埋設される本体７１、および設置時に居室側に露出する化粧パネル７２から構成される。
【００３３】
Ａ．本体
本体７１は、図３および図４に示されるように、本体ケーシング７１１、遠心送風機７１２、熱交換器７１３、ドレンパン７１４、ベルマウス７１５、給気管接続ポート７１６、および図示しない膨張弁や温度センサ等を備える。
本体ケーシング７１１は、図３に示されるように、下面が開口した箱体であり、天板７１１ａと、天板７１１ａの周縁部から下方に延びる側板７１１ｂとを有している。この本体ケーシング７１１には、その内部に室内ユニット７０の構成部品が収容される。
【００３４】
遠心送風機７１２は、本実施の形態において、ターボファンであり、本体ケーシング７１１の天板７１１ａの中央に設けられたファンモータ７１２ａと、ファンモータ７１２ａに連結されて回転駆動される羽根車７１２ｂとを有している。遠心送風機７１２は、羽根車７１２ｂの内部に居室内の空気（以下、室内空気という）を吸入し、羽根車７１２ｂの外周側に吹き出すことができる。
【００３５】
熱交換器７１３は、本実施の形態において、遠心送風機７１２の外周を囲むように曲げられて形成されたクロスフィンチューブ型の熱交換器パネルであり（図４参照）、屋外等に設置された室外ユニット（図示せず）に冷媒配管を介して接続されている。熱交換器７１３は、冷房運転時には内部を流れる冷媒の蒸発器として、暖房運転時には内部を流れる冷媒の凝縮器として機能できるようになっている。これにより、熱交換器７１３は、ベルマウス７１５を通じて本体ケーシング７１１内に吸入され遠心送風機７１２の羽根車７１２ｂの外周側に吹き出された室内空気を、冷房運転時には冷却し、暖房運転時には加熱することができる。
【００３６】
ドレンパン７１４は、熱交換器７１３の下側に配置されており、熱交換器７１３において室内空気を冷却する際に室内空気中の水分が凝縮されて生じるドレン水を受け止める。
給気管接続ポート７１６は、全熱交換器１０ａ，１０ｂの屋内側給気管５２ａ，５２ｂを接続するためのポートである。なお、本実施の形態に係る室内ユニット７０では、この給気管接続ポート７１６は、２つ設けられている（もう一つは、図３の紙面奥側に配置されている）。
【００３７】
電装品ボックス７８は、室内ユニット７０に内蔵されており、ベルマウス７８の縁部に設置されている。この電装品ボックス７８には、電装品として、図示しない制御基板などが収容されている。なお、この制御基板は、室内ユニット７０に配置される遠心送風機７１２、膨張弁、および温度センサ、ならびに室内ユニット７０の外部に配置されるワイヤードリモコン７７や図示しないＢＳユニット等に通信接続されており、ワイヤードリモコン７７から送信されてくる信号に基づいて遠心送風機７１２の回転数、運転モードの切換、温度設定、およびルーバ７２１（後述）の動作等を制御する。また、この制御基板は、システム制御装置９０とも第１通信線７９を介して通信接続されており、室内ユニット７０の各種状態データ（例えば、運転モードや設定温度など）をシステム制御装置９０に提供する。
【００３８】
Ｂ．化粧パネル
化粧パネル７２は、図２および図３に示されるように、略四角形状の板状体であり、主として、その略中央に室内空気を本体ケーシング７１１内に吸入するための吸入口７２４と、本体ケーシング７１１内から居室Ｒ１に向かって空調空気を吹き出す複数個（本実施形態では、４個）の吹出口７２２とを有している。吹出口７２２には、風向を調節するためのルーバ７２１が設けられている。吸入口７２４には、吸入グリル７２３と、吸入口７２４から吸入された室内空気中の比較的大きな塵埃を除去するためのプレフィルタ７２５とが設けられている。
【００３９】
Ｃ．室内ユニットの動作
ファンモータ７１２ａにより遠心送風機７１２を回転させると、室内空気が図１および図３の矢印Ｆ１に示されるように室内ユニット７０の吸込口７２４に吸い込まれる。吸い込まれた室内空気は、本体７１のベルマウス７１５を通じて遠心送風機７１２に到達した後、遠心送風機７１２の外周側に吹き出される（図３の矢印Ｆ１ａ参照）。遠心送風機７１２の外周側に吹き出された室内空気は、遠心送風機７１２の外周側に配置された熱交換器７１３によって熱交換された後、吹出口７２２から室内に吹き出される（図１および図３の矢印Ｆ２参照）。なお、この際、熱交換後に吹出口７２２に向かう室内空気は、全熱交換器１０ａ，１０ｂを介して供給される屋外の空気（以下、外気という）とともに吹出口７２２から吹き出される。
【００４０】
（２）全熱交換器
本実施の形態に係る全熱交換器１０ａ，１０ｂは、図１に示されるように、居室Ｒ１、廊下Ｐ１、およびトイレ室Ｂ１等（以下、これらの空間を総じて屋内という）の天井裏に設置されている。そして、この全熱交換器１０ａ，１０ｂには、外壁Ｗ１，Ｗ２を貫通して設けられる屋外側排気管５４ａ，５４ｂおよび屋外側給気管５１ａ，５１ｂ、ならびに廊下Ｐ１やトイレ室Ｂ１等の天井裏に設けられる排気グリル８０ａ，８０ｂから延びる屋内側排気管５３ａ，５３ｂおよび室内ユニット７０から延びる屋内側給気管５２ａ，５２ｂが配管接続されている。なお、本実施の形態では、外壁Ｗ１が南側に面しており、外壁Ｗ２が北側に面している。また、以下、屋外側排気管５４ａ，５４ｂおよび屋外側給気管５１ａ，５１ｂが貫通することによって外壁Ｗ１，Ｗ２に形成された開口をそれぞれ、排気口５６ａ，５６ｂおよび給気口５５ａ，５５ｂと称する。以下、図１、図５、図６、図７、図８、図９、図１０、および図１１を用いて全熱交換器１０ａ，１０ｂの詳細を説明する。ここで、図５は、本実施の形態に係る全熱交換器の内部構造を示す斜視図である。図６は、本実施の形態に係る全熱交換器の上面図である。図７は、本実施の形態に係る全熱交換器の側面図である。図８は、本実施の形態に係る全熱交換器の分解斜視図である。図９および図１０は、本実施の形態に係る全熱交換器の仕切板の斜視図である。図１１は、本実施の形態に係る全熱交換器の熱交換エレメントの構造を示す斜視図である。なお、この全熱交換器１０ａ，１０ｂは、図５に示されるように、屋外からの給気Ｆ４（白抜矢印）と屋内Ｐ１，Ｂ１からの排気Ｆ７（ハッチング矢印）との間で熱交換エレメント１２を介して熱交換させつつ換気するための装置である。また、全熱交換器１０ａ，１０ｂは、全く同じものであるため、ここでは、符号１０ａの全熱交換器についてのみ説明する。
【００４１】
本全熱交換器１０ａは、図５、図６、図７、および図８に示されるように、主に、ケーシング１１、熱交換エレメント１２、エアフィルタ１３、ファン１５，１６、ダンパ１４、および電装品ボックス１９ａから構成される。以下、これらの構成部品について詳述する。
Ａ．ケーシング
ケーシング１１は、図５および図８に示されるように、箱体１１１と、この箱体１１１の上面を覆う蓋体１１２とから構成される。そして、このケーシング１１には、熱交換エレメント室２８、排気用ファンモータ収容室４１、排気用ファン収容室２２、給気用ファンモータ収容室４３、給気用ファン収容室２４、給気連通室４５、排気連通室４６、屋外側吸込室２６、屋内側吸込室２７、およびバイパス室３１が設けられる。
【００４２】
熱交換エレメント室２８は、図５および図８に示されるように、直方体形状の空間であって、熱交換エレメント１２を収容する。なお、この熱交換エレメント室２８は、箱体１１１の底板、仕切板１８Ａ〜１８Ｅ（図５、図９、および図１０参照）、および蓋体１１２などによって仕切られて形成される。また、箱体１１１の底板、仕切板１８Ａ〜１８Ｅ、および蓋体１１２には、それぞれガイド部Ｇ１，Ｇ２，Ｇ３が取り付けられる。箱体１１１の底板に取り付けられるガイド部Ｇ１は、第１ガイド部Ｇ１１と第２ガイド部Ｇ１２とを有する。第１ガイド部Ｇ１１は、熱交換エレメント１２の挿脱時に熱交換エレメント１２の下部の稜線を案内する。一方、第２ガイド部Ｇ１２は、第１ガイド部Ｇ１１を挟んで対をなしており、一対のエアフィルタ１３の端縁をそれぞれ案内する。仕切板１８Ａ〜１８Ｅに取り付けられるガイド部Ｇ２は、第１ガイド部Ｇ２１と第２ガイド部Ｇ２２とを有する。第１ガイド部Ｇ２１は、熱交換エレメント１２の挿脱時に熱交換エレメント１２の側部の稜線を案内する。一方、第２ガイド部Ｇ２２は、エアフィルタ１３の端縁を案内する。蓋体１１２に取り付けられるガイド部Ｇ３は、熱交換エレメント１２の挿脱時に熱交換エレメント１２の上部の稜線を案内する。
【００４３】
なお、この熱交換エレメント室２８に熱交換エレメント１２が収容されると、その周囲に略三角柱形状の４つの空間Ｓ１，Ｓ２，Ｓ３，Ｓ４が生成する。以下、図５および図７中、符号Ｓ１により示される空間を第１空間、符号Ｓ２により示される空間を第２空間、符号Ｓ３により示される空間を第３空間、符号Ｓ４により示される空間を第４空間という。
【００４４】
排気用ファン収容室２２は、図５および図８に示されるように、排気用ファン１５を収容する。また、この排気用ファン収容室２２は、図５に示されるように、仕切板１８Ｂに形成された開口４２を介して排気用ファンモータ収容室４１に連通する。また、この排気用ファン収容室２２は、図５に示されるように、側壁に排気用の屋外側吹出口３８を有している。そして、この屋外側吹出口３８には、屋外側排気管５４ａが配管接続される。
【００４５】
排気用ファンモータ収容室４１は、図５および図８に示されるように、排気用ファンモータ１５Ｍを収容する。また、この排気用ファンモータ収容室４１は、図５に示されるように、蓋体１１２と熱交換エレメント１２の一の稜線とで仕切られる開口２３を介して第１空間Ｓ１に連通する。
給気用ファン収容室２４は、図５および図８に示されるように、給気用ファン１６を収容する。また、給気用ファン収容室２４は、図５に示されるように、仕切板１８Ｄに形成された開口４４を介して給気用ファンモータ収容室４３に連通する。また、この給気用ファン収容室２４は、図５に示されるように、側壁に給気用の屋内側吹出口３７を有している。そして、この屋内側吹出口３７には、屋内側給気管５２ａが配管接続される。
【００４６】
給気用ファンモータ収容室４３は、図５および図８に示されるように、給気用ファンモータ１６Ｍを収容する。また、この給気用ファンモータ収容室４３は、蓋体１１２と熱交換エレメント１２の一の稜線とで仕切られる開口２５を介して第２空間Ｓ２に連通する。
屋外側吸込室２６は、図５に示されるように、側壁に給気用の屋外側吸込口３６を有している。この屋外側吸込口３６には、屋外側給気管５１ａが配管接続される。また、この屋外側吸込室２６は、図５および図９に示されるように、仕切板１８Ｃの開口２９を介して給気連通室４５に連通する。
【００４７】
屋内側吸込室２７は、図５に示されるように、側壁に排気用の屋内側吸込口３５を有している。この屋内側吸込口３５には、屋内側排気管５３ａが配管接続される。また、この屋内側吸込室２７は、図５に示されるように、仕切板１８Ｅの開口３０を介して排気連通室４６に連通する。
給気連通室４５は、仕切板１８Ｆによって仕切られており、排気用ファンモータ収容室４１の下方に位置する。また、この給気連通室４５は、図５に示されるように、第３空間Ｓ３に連通する。
【００４８】
排気連通室４６は、仕切板１８Ｇによって仕切られており、給気用ファンモータ収容室４３の下方に位置する。また、この排気連通室４６は、図５に示されるように、第４空間Ｓ４に連通する。
バイパス室３１は、熱交換エレメント室２８の反抜取り方向側に位置している。そして、このバイパス室３１は、開口３２を介して第１空間Ｓ１に連通する。また、このバイパス室３１は、開口３３を介して屋内側吸込室２７に連通する。この結果、排気用ファン収容室２２と屋内側吸込室２７とは、排気用ファンモータ収容室４１、第１空間Ｓ１、およびバイパス室３１を介して連通することとなる。
【００４９】
Ｂ．熱交換エレメント
熱交換エレメント１２は、図５および図８に示されるように、略直方体の形状をしており、排気通路４８と給気通路４９との交差部に設けられている。この熱交換エレメント１２は、図１１に示されるように、プリーツ状の特殊クラフト紙（以下、スペーサ紙という）１２２と平膜状の特殊クラフト紙（以下、仕切紙という）１２１とを交互に方向を変えながら積層した構造を有している。この熱交換エレメント１２がこのような構造をとっているため、この熱交換エレメント１２では、排気の流路と給気の流路とが一段ごとに交互に配置されるかたちになる。なお、この熱交換エレメント１２では、給気および排気の顕熱および潜熱は、この仕切紙１２１を介して交換される。
【００５０】
なお、この熱交換エレメント１２の端面には取り出しのための把手１７が設けられており、図８に示されるように蓋２１を取り外せば、ケーシング１１のメンテナンス面Ｍに開口される挿脱用の開口２０から、その長辺に沿って長手方向に挿脱できるようになっている。
Ｃ．エアフィルタ
エアフィルタ１３は、図８に示されるように、熱交換エレメント１２の第３空間Ｓ３に接する面と第４空間Ｓ４に接する面とを覆うように熱交換エレメント１２に取り付けられる。このエアフィルタ１３は、ポリプロピレン繊維から成る不織布である。
【００５１】
Ｄ．ファン
排気用ファン１５および給気用ファン１６は、図６および図７に示されるように、それぞれシロッコファン（ロータ）からなり、発泡樹脂（例えば発泡スチロール）製の渦巻き状をしたファンケーシング（図示せず）内に収容されている。なお、各ファン１５，１６の回転軸線Ｌは、熱交換エレメント１２の抜取り方向Ｋと平行である。
【００５２】
Ｅ．ダンパ
ダンパ１４は、屋内側吸込室２７内に配置されている。このダンパ１４は、例えば電動モータ（図示せず）などによって回動し、開口３０と開口３３とのいずれか一方を開放し他方を閉塞する。
Ｆ．電装品ボックス
電装品ボックス１９ａは、メンテナンス面Ｍの排気用ファン１５と対向する部分Ｍ１に配置されている。この電装品ボックス１９ａには、電装品として、図示しない制御基板などが収容されている。なお、この制御基板は、第２通信線５８ａを介してシステム制御装置９０に通信接続されており、このシステム制御装置９０から送信されてくる信号に基づいてファン１５，１６およびダンパ１４の動作（ファンモータ１５Ｍ，１６Ｍの稼働停止およびダンパ用モータの稼働停止）を制御する。
【００５３】
そして、この全熱交換器１０ａには、全熱交換換気モードおよび普通換気モードの２つの運転モードが設けられている。以下、それぞれの運転モードについて詳述する。
Ａ．全熱交換換気モード
この全熱交換器１０ａでは、熱交換エレメント１２を用いた全熱交換換気を行う場合、ダンパ１４によって開口３０が開放される。なお、上述したように、このとき、開口３３は閉塞される。そして、この状態で各ファン１５，１６が運転されると、屋内Ｐ１，Ｂ１の空気（以下、屋内空気という）が屋内側排気管５３ａを介して屋内側吸込口３５から屋内側吸込室２７に吸い込まれ（図１の破線矢印Ｆ６ａおよびＦ７ａ参照）、開口３０→排気連通室４６→第４空間Ｓ４→エアフィルタ１３→熱交換エレメント１２→第１空間Ｓ１→開口２３→排気用ファンモータ収容室４１→排気用ファン収容室２２に至る排気通路４８を通り、屋外側吹出口３８から吹き出され、屋外側排気管５４ａを介して屋外に排出される（図１の破線矢印Ｆ８ａおよびＦ９ａ参照）と同時に、外気が屋外側給気管５１ａを介して屋外側吸込口３６から屋外側吸込室２６に吸い込まれ（図１の破線矢印Ｆ３ａおよびＦ４ａ参照）、給気連通室４５→第３空間Ｓ３→エアフィルタ１３→熱交換エレメント１２→第２空間Ｓ２→開口２５→給気用ファンモータ収容室４３→開口４４→給気用ファン収容室２４に至る給気通路４９を通り、屋内側吹出口３７から吹き出され、屋内側給気管５２ａを介して居室Ｒ１に給気される（図１の破線矢印Ｆ５ａ参照）。
【００５４】
Ｂ．通常換気モード
春秋などの冷暖房を必要としない中間期には、熱交換を行わない通常換気が行われる。
この全熱交換器１０ａでは、通常換気が行われる場合、ダンパ１４によって開口３３が開放される。なお、上述したように、このとき、開口３０は閉塞される。そして、この状態で各ファン１５，１６が運転されると、屋内空気が屋内側排気管５３ａを介して屋内側吸込口３５から屋内側吸込室２７に吸い込まれ、開口３３→バイパス室３１→開口３２→第１空間Ｓ１→開口２３→排気用ファンモータ収容室４１→排気用ファン収容室２２に至るバイパス通風路を通り、屋外側吹出口３８から吹き出され、屋外側排気管５４ａを介して屋外に排出されると同時に、外気が屋外側給気管５１ａを介して屋外側吸込口３６から屋外側吸込室２６に吸い込まれ、給気連通室４５→第３空間Ｓ３→エアフィルタ１３→熱交換エレメント１２→第２空間Ｓ２→開口２５→給気用ファンモータ収容室４３→開口４４→給気用ファン収容室２４に至る給気通路４９を通り、屋内側吹出口３７から吹き出され、屋内側給気管５２ａを介して居室Ｒ１に給気される（給気の流れは全熱交換換気モード時と同じである。）。
【００５５】
（３）排気グリル
排気グリル８０ａ，８０ｂは、廊下Ｐ１およびトイレ室Ｂ１の天井裏に埋設されている。この排気グリル８０ａ，８０ｂは、設置時に天井に埋設される本体８１ａ，８１ｂ、および設置時に廊下側あるいはトイレ室側に露出する化粧パネル８２ａ，８２ｂから構成されている。本体８１ａ，８１ｂは、主に、直方体のケーシング、およびケーシングに内蔵されるプロペラファン（図示せず）から構成されている。化粧パネル８２ａ，８２ｂは、略四角形状の板状体であり、主に、廊下Ｐ１あるいはトイレ室Ｂ１の空気から屋内空気を吸い込むための吸込口（図示せず）（図１の破線矢印Ｆ６ａおよびＦ６ｂ参照）、およびその吸込口を覆う吸込グリル（図示せず）を有する。
【００５６】
（４）温湿度センサ
温湿度センサ６０ａ，６０ｂは、給気口５５ａ，５５ｂ近傍に配置されており、第３通信線６１ａ，６１ｂを介してシステム制御装置９０に通信接続されている。そして、この温湿度センサ６０ａ，６０ｂは、給気口５５ａ，５５ｂ付近の温度および絶対湿度を同時に検知することが可能である。
【００５７】
（５）システム制御装置
システム制御装置９０は、屋内の天井裏に配置されている。このシステム制御装置９０は、図１２に示されるように、主に、中央処理部９１、ＲＡＭ（Random Access Memory）９２、ＲＯＭ（Read Only Memory）９３、Ｉ／Ｏ制御部９４、タイマー１００、温湿度センサ用インターフェイス９５、全熱交換器用インターフェイス９６、および空気調和装置用インターフェイス９７から構成されている。ここで、中央処理部９１、ＲＡＭ９２、ＲＯＭ９３、およびＩ／Ｏ制御部９４は、例えば、マイクロコンピュータであって、相互に第１バス線９８によって接続されており、１つの集積回路を構成している。また、タイマー１００は、年月日データおよび時刻データを出力可能な装置であって、第２バス線９９ｄを介してＩ／Ｏ制御部９４に接続されている。また、温湿度センサ用インターフェイス９５、全熱交換器用インターフェイス９６、および空気調和装置用インターフェイス９７は、例えば、プリント回路基板等であって、第２バス線９９ａ，９９ｂ，９９ｃを介してＩ／Ｏ制御部９４に接続されている。
【００５８】
中央処理部９１は、主に、制御部９１１および演算部９１２を有する。制御部９１１は、図１３に示されるように、ＲＯＭ９３に記憶されている制御プログラムを読み込み（Ｆｄ６参照）、読み込んだ制御プログラムに従って演算部９１２、ＲＡＭ９２、ＲＯＭ９３、およびＩ／Ｏ制御部９４に動作を指示する（Ｆｃ１〜Ｆｃ４参照）。
演算部９１２は、図１３に示されるように、制御部９１１の命令に従って制御部９１１、ＲＡＭ９２、およびＲＯＭ９３から必要なデータを取得して（Ｆｄ１、Ｆｄ４、およびＦｄ７参照）演算処理（例えば、算術演算処理や論理演算処理等）を行う。また、この演算部９１２は、制御部９１１の命令に従って、演算処理の処理結果データを制御部９１１に供給することができる（Ｆｄ２参照）。また、この演算部９１２は、制御部９１１の命令に従って、演算処理の処理結果データをＲＡＭ９２に書き込むことができる（Ｆｄ３参照）。
【００５９】
ＲＡＭ９２は、図１３に示されるように、制御部９１１の指示に従って、各種データを制御部９１２に供給することができる（Ｆｄ５参照）。また、このＲＡＭ９２は、データをＩ／Ｏ制御部９４から取得して（Ｆｄ９参照）一時記憶したり、演算部９１２から送信されるデータ（Ｆｄ３参照）を一時記憶したりする。また、このＲＡＭ９２は、制御部９１１の命令に応じて一時記憶しているデータをＩ／Ｏ制御部９４に送信する（Ｆｄ８参照）。
【００６０】
ＲＯＭ９３は、制御プログラムや各種データを格納しており、図１３に示されるように、制御部９１１の指示に従って、それらを制御部９１１に供給する（Ｆｄ６参照）。また、このＲＯＭ９３は、制御部９１１の指示に従って、各種データを演算部９１２に供給することができる（Ｆｄ７参照）。なお、この制御プログラムにはタイマープログラムが含まれているため、中央処理部９１は、一定の周期で制御プログラムを実行することが可能になっている。
【００６１】
Ｉ／Ｏ制御部９４は、空気調和装置の室内ユニット７０あるいは温湿度センサ６０ａ，６０ｂから空気調和装置用インターフェイス９７あるいは温度センサ用インターフェイス９５を介して送信されてくる各種データをＲＡＭ９２へ入力したり（Ｆｄ９参照）、ＲＡＭ９２に記憶されている各種データ等を全熱交換器用インターフェイス９６へ出力したりする（Ｆｄ１０参照）。
【００６２】
温湿度センサ用インターフェイス９５、全熱交換器用インターフェイス９６、および空気調和装置用インターフェイス９７は、温湿度センサ６０ａ，６０ｂ、全熱交換器１０ａ，１０ｂ、および空気調和装置の室内ユニット７０から送信されてくる各種データを受信すると同時にそれらのデータを中央処理部９１が処理可能な形式に変換する。なお、温度センサ用インターフェイス９５および全熱交換器用インターフェイス９６それぞれには、第１チャネルおよび第２チャネル（図示せず）の２つのチャネルが設けられている。そして、第１チャネルを通過するデータには「１」という符号が、第２チャネルを通過するデータには「２」という符号が付与される。
【００６３】
［システム制御装置による換気システムの制御］
ここでは、図１４および図１５に示されるフローチャートに従って、システム制御装置による換気システムの制御について説明する。ここで、図１４は、システム制御装置による換気制御の流れを表すフローチャートである。図１５は、給気口選択サブルーチンの流れを表すフローチャートである。
【００６４】
図１４において、ステップＳ１では、演算部９１２が、制御部９１１の指示に従って、給気必要量Ｑｒを算出する。ステップＳ２では、演算部９１２が、制御部９１１の指示に従って、演算処理を行い、換気が必要であるか否かを判定する。ステップＳ２の演算部９１２の判定の結果、換気が必要であると判定された場合は、ステップＳ３に移る。ステップＳ２の演算部９１２の判定の結果、換気が必要でないと判定された場合は、ステップＳ１１に移る。ステップＳ３では、Ｉ／Ｏ制御部９４が、制御部９１１の指示に従って、タイマー１００から年月日データを取得し、ＲＡＭ９２に書き込む。ステップＳ４では、演算部９１２が、制御部９１１の指示に従って、ＲＡＭ９２から年月日データを取得し、その月データＭが６月から９月又は１２月から３月であるかを判定する。ステップＳ４の演算部９１２の判定の結果、月データＭが６月から９月又は１２月から３月であると判定された場合は、ステップＳ５に移る。ステップＳ４の演算部９１２の判定の結果、月データＭが６月から９月又は１２月から３月でないと判定された場合は、ステップＳ６に移る。ステップＳ５では、制御部９１１が、全熱交換器１０ａ，１０ｂを全熱交換換気モードにするための制御情報を生成し、その制御情報を演算部９１２を介してＲＡＭ９２に書き込む。ステップＳ６では、制御部９１１が、全熱交換器１０ａ，１０ｂを通常換気モードにするための制御情報を生成し、その制御情報を演算部９１２を介してＲＡＭ９２に書き込む。ステップＳ７では、演算部９１２が、制御部９１１の指示に従って、給気可能最大量Ｑｍａｘが給気必要量Ｑｒよりも大きいか否かを判定する。ステップＳ７の演算部９１２の判定の結果、給気可能最大量Ｑｍａｘが給気必要量Ｑｒよりも大きいと判定された場合は、ステップＳ８に移る。ステップＳ７の演算部９１２の判定の結果、給気可能最大量Ｑｍａｘが給気必要量Ｑｒ以下であると判定された場合は、ステップＳ１０に移る。ステップＳ８では、演算部９１２が、演算処理を行って、給気を行う給気口５５ａ，５５ｂを選択する（以下、このステップＳ８で行われる処理を給気口選択サブルーチンという。なお、この給気口選択サブルーチンについては図１５を用いて後に詳述する）。ステップＳ９では、Ｉ／Ｏ制御部９４が、制御部９１１の指示に従って、全熱交換器１０ａ，１０ｂを稼働させるための制御信号を、ステップＳ８において演算部９１２によって選択された給気口５５ａ，５５ｂに対応する全熱交換器１０ａ，１０ｂに送信し、全熱交換器１０ａ，１０ｂを停止させるための制御信号を、その他の全熱交換器１０ａ，１０ｂに送信する。また、この際、Ｉ／Ｏ制御部９４は、ステップＳ５あるいはステップＳ６において制御部９１１がＲＡＭ９２に書き込んだ制御情報に対応する制御信号を、全熱交換器１０ａ，１０ｂを稼働させるための制御信号とともに送信する。ステップＳ１０では、Ｉ／Ｏ制御部９４が、制御部９１１の指示に従って、全熱交換器１０ａ，１０ｂを稼働させるための制御信号を全ての全熱交換器１０ａ，１０ｂに送信する。また、この際、Ｉ／Ｏ制御部９４は、ステップＳ５あるいはステップＳ６において制御部９１１がＲＡＭ９２に書き込んだ制御情報に対応する制御信号を同時に送信する。ステップＳ１１では、Ｉ／Ｏ制御部９４が、制御部９１１の指示に従って、全熱交換器１０ａ，１０ｂを停止させるための制御信号を全ての全熱交換器１０ａ，１０ｂに送信する。
【００６５】
なお、この制御は、制御部９１１によって一定周期（例えば、３０分）で実行される。
次に、給気口選択サブルーチンについて詳述する。
図１５において、ステップＳ８１では、Ｉ／Ｏ制御部９４が、制御部９１１の指示に従って、２つの温湿度センサ６０ａ，６０ｂから温度センサ用インターフェイス９５を介して温度データおよび絶対湿度データを取得し、ＲＡＭ９２に書き込む。なお、この際、温度データおよび絶対湿度データには、通過チャネルを特定する符号が付与される。ステップＳ８２では、演算部９１２が、制御部９１１の指示に従って、ＲＡＭ９２から温度データｔおよび絶対湿度データｘを取得し、以下に示す算出式（１）に従って外気のエンタルピーｈを算出する。ステップＳ８３では、Ｉ／Ｏ制御部９４が、制御部９１１の指示に従って、空気調和装置の室内ユニット７０から空気調和装置用インターフェイス９７を介して運転モードデータを取得し、ＲＡＭ９２に書き込む。ステップＳ８４では、演算部９１２が、制御部９１１の指示に従って、ＲＡＭ９２から運転モードデータを取得し、その運転モードデータが冷房モードに対応するものであるか、暖房モードに対応するものであるか、あるいはドライモードに対応するものであるかを判定する。ステップＳ８４の演算部９１２の判定の結果、運転モードデータが冷房モードあるいはドライモードに対応するものである場合は、ステップＳ８５に移る。ステップＳ８４の演算部９１２の判定の結果、運転モードデータが暖房モードに対応するものである場合は、ステップＳ８６に移る。ステップＳ８５では、演算部９１２が、制御部９１１の指示に従って、ステップＳ８２において算出した外気のエンタルピーｈのうち小さいエンタルピーｈを示す温湿度センサ６０ａ，６０ｂに対応するチャネル特定符号を特定する。ステップＳ８６では、演算部９１２が、制御部９１１の指示に従って、ステップＳ８２において算出した外気のエンタルピーｈのうち大きいエンタルピーｈを示す温湿度センサ６０ａ，６０ｂに対応するチャネル特定符号を特定する。ステップＳ８７では、演算部９１２が、制御部９１１の指示に従って、ＲＯＭ９３に記憶されている第１関連テーブルＴＢ１（なお、この関連テーブルでは、符号６０ａの温湿度センサと符号１０ａの全熱交換器とが対応しており、符号６０ｂの温湿度センサと符号１０ｂの全熱交換器とが対応している）（図１６参照）を参照してそのチャネル特定符号に対応する全熱交換器用インターフェイス９６のチャネルを特定する（チャネル特定符号が「１」である場合は第１チャネルとなり、チャネル特定符号が「２」である場合は第２チャネルとなる）。その後、Ｉ／Ｏ制御部９４が、制御部９１１の指示に従って、全熱交換器１０ａ，１０ｂを稼働させるための制御信号を、ステップＳ８７において特定したチャネルを介して全熱交換器１０ａ，１０ｂに送信し、全熱交換器１０ａ，１０ｂを停止させるための制御信号を、その他のチャネルを介して全熱交換器１０ａ，１０ｂに送信する。
【００６６】
ｈ＝０．２４ｔ＋（５９７．３＋０．４４１ｔ）ｘ・・・式（１）
ｔ：温度、ｘ：絶対湿度
［換気システムの特徴］
（１）
第１実施形態に係る換気システム１では、システム制御装置９０が、複数の温湿度センサ６０ａ，６０ｂから取得された複数の外気の温度および絶対湿度を利用して外気のエンタルピーを求め、その外気のエンタルピーに基づいて複数の全熱交換器１０ａ，１０ｂのうちいずれの全熱交換器１０ａ，１０ｂを稼働させるかを決定する。第１実施形態では、給気口５５ａ，５５ｂが南北に配置されているため、特に日中では給気口５５ａの付近の外気が暖かく給気口５５ｂの付近の外気が冷たい傾向がある。そして、この換気システム１では、空気調和装置の室内ユニット７０が居室Ｒ１を冷房あるいは除湿している場合、エンタルピーｈが小さい方の外気を選択的に居室に供給する。また、逆に、この換気システム１では、空気調和装置の室内ユニット７０が居室Ｒ１を暖房している場合、エンタルピーｈが大きい方の外気を選択的に居室Ｒ１に供給する。したがって、この換気システム１では、空気調和装置の消費エネルギー量を低減することができる。この結果、この換気システム１では、省エネルギー化の促進を実現することができる。
【００６７】
（２）
第１実施形態に係る換気システム１では、屋内側給気管５２ａ，５２ｂが、室外ユニット７０において合流している。このため、この換気システム１では、居室Ｒ１の内装を損なうおそれが生じにくい。
（３）
第１実施形態に係る換気システム１では、１２月から３月までの期間あるいは６月から９月までの期間、全熱交換器１０ａ，１０ｂが全熱交換換気モードに設定される。このため、この換気システム１では、さらに省エネルギー化の促進を実現することができる。
【００６８】
（４）
第１実施形態に係る換気システム１では、システム制御装置９０が、一定周期で給気必要量Ｑｒを算出し、給気必要量Ｑｒと給気可能最大量Ｑｍａｘとの大小を比較した結果、給気必要量Ｑｒが給気可能最大量Ｑｍａｘよりも小さい場合に限って、稼働させる全熱交換器１０ａ，１０ｂを選択する。このため、この換気システム１では、法定基準などを遵守することができる。
【００６９】
［変形例］
（Ａ）
第１実施形態に係る換気システム１では、給気口５５ａ，５５ｂが南北に２つ設けられていたが、給気口は、あらゆる方角の外壁に対して３つ以上設けられていてもよい。かかる場合、各給気口に対して温湿度センサを配置し、全熱交換器用インターフェイス９６のチャネル数を増加させる必要がある。また、図１４のフローチャートのステップＳ８５において、演算部９１２が外気のエンタルピーｈのうち最小のエンタルピーｈを示す温湿度センサ６０ａ，６０ｂに該当するチャネル特定符号を特定する必要があり、また、ステップＳ８６において、演算部９１２が外気のエンタルピーｈのうち最大のエンタルピーｈを示す温湿度センサ６０ａ，６０ｂに該当するチャネル特定符号を特定する必要がある。
【００７０】
（Ｂ）
第１実施形態に係る換気システム１では、システム制御装置９０がいずれの全熱交換器１０ａ，１０ｂを稼働させるかを決定するのにエンタルピーｈを利用した。しかし、単純に、温度ｔだけを利用して全熱交換器１０ａ，１０ｂの稼働停止を決定してもかまわない。
【００７１】
（Ｃ）
第１実施形態に係る換気システム１では、システム制御装置９０がいずれの全熱交換器１０ａ，１０ｂを稼働させるかを決定するのにエンタルピーｈを利用したが、不快指数を利用して全熱交換器１０ａ，１０ｂの稼働停止を決定してもかまわない。なお、不快指数は、以下の算出式（２）によって求めることが可能である。
【００７２】
不快指数＝１．８ｔ−０．５５（１−ｗ／１００）（１．８ｔ−２６）＋３２・・・式（２）
ｔ：温度、ｗ：相対湿度
（Ｄ）
第１実施形態に係る換気システム１では、システム制御装置９０がいずれの全熱交換器１０ａ，１０ｂを稼働させるかを決定するのにエンタルピーｈを利用した。しかし、単純に、絶対湿度（あるいは相対湿度）だけを利用して全熱交換器１０ａ，１０ｂの稼働停止を決定してもかまわない。かかる場合、空気調和装置の除湿運転や加湿運転に要する消費エネルギー量を低減することができる。
【００７３】
（Ｅ）
第１実施形態に係る換気システム１では、システム制御装置９０の制御対象が全熱交換器１０ａ，１０ｂであったが、図１７に示されるように、給気ファン１１０ａ，１１０ｂをシステム制御装置９０の制御対象としてもかまわない。以下、給気ファン１１０ａ，１１０ｂの構造と本変形例に係る換気システム１０１の概要構成とについて説明する。なお、給気ファン１１０ａ，１１０ｂは、全く同じものであるため、ここでは、符号１１０ａの給気ファンについてのみ説明する。また、ここで、図１７は、本変形例に係る換気システムのシステム構成図である。図１８は、給気ファンの正面図である。また、図１９（ａ）は、給気ファンのダンパが閉状態にある場合のＡ−Ａ断面図である。また、図１９（ｂ）は、給気ファンのダンパが開状態にある場合のＡ−Ａ断面図である。
【００７４】
給気ファン１１０ａは、図１８および図１９に示されるように、主に、枠体１１６、プロペラファンロータ１１２、ファンモータ１１３、回転シャフト１１４、およびダンパ１１５から構成される。枠体１１６は、背面の四隅から対角線上に延びる支持アーム（図示せず）によってファンモータ１１３を固定する。プロペラファンロータ１１２は、回転シャフト１１４を介してファンモータ１１３に接続されており、ファンモータ１１３によって回転駆動される。ダンパ１１５は、ファンモータ側に取り付けられており、図示しない専用モータによって開閉される（図１９（ａ）および（ｂ）参照）。なお、ここでは、給気ファンをプロペラファンとしたが、給気ファンはシロッコファンやターボファン等であってもかまわない。
【００７５】
この換気システム１０１では、空気調和装置の室内ユニット７０から延びる給気管１５１ａ，１５１ｂが外壁Ｗ１，Ｗ２を貫通して設けられている。そして、この給気管１５１ａ，１５１ｂの屋外側の端口１５５ａ，１５５ｂに上述した給気ファン１１０ａ，１１０ｂが配置される。そして、この給気ファン１１０ａ，１１０ｂのファンモータ１１３およびダンパ専用モータ（図示せず）は、第４通信線１５８ａ，１５８ｂおよび第５通信線１５９ａ，１５９ｂを介してシステム制御装置９０に通信接続されている。
【００７６】
また、システム制御装置９０の制御対象が全熱交換器と給気ファンとの両方であってもかまわない。なお、かかる場合、全熱交換器の熱交換能力等を加味して全熱交換器と給気ファンとの選択を行うことが考えられる。
（Ｆ）
第１実施形態に係る換気システム１では、システム制御装置９０に空気調和装置の室内ユニット７０が通信接続されたが、空気調和装置の室内ユニット７０がシステム制御装置９０に通信接続されていなくてもかまわない。ただし、この場合、システム制御装置９０に空気調和装置の運転モードデータを入力するデータ入力装置を通信接続して適宜空気調和装置の運転モードを入力したり装置９０内のタイマー１００の月データに基づいて全熱交換器１０ａ，１０ｂの運転モードを決定したり必要がある。
【００７７】
（Ｇ）
第１実施形態に係る室内ユニット７０はいわゆるマルチフロー式の天井埋設型の室内ユニットであったが、室内ユニットは、ラウンドフロー式の天井埋設型の室内ユニットや、天井吊下型の室内ユニット、壁掛け型の室内ユニット等であってもかまわない。また、除湿器や加湿器などであってもかまわない。
【００７８】
（Ｉ）
第１実施形態に係る全熱交換ユニット１０ａでは、熱交換エレメント１２が、透湿性を有するスペーサ紙１２２と仕切紙１２１とから構成される全熱交換型の熱交換エレメント１２であったが、熱交換エレメントは、透湿性を有さないスペーサ板と仕切板とから構成される顕熱交換型の熱交換エレメント（いわゆるヒートパイプ型の熱交換エレメント）であってもよい。なお、この顕熱交換型の熱交換エレメントでは、給気と排気との間で顕熱のみが交換される。
【００７９】
（Ｊ）
第１実施形態に係る換気システム１では、固定式の熱交換エレメント１２を備えた全熱交換器１０ａ，１０ｂを採用したが、全熱交換器は、回転式の熱交換エレメントを備えた全熱交換器であってもよい。
＜第２実施形態＞
［換気システム］
ここでは、図２０から図２８までの図面を参照しながら本発明の第２実施形態に係る換気システムについて説明する。
【００８０】
この換気システム２０１は、図２０に示されるように、主に、換気用給気ダクト２５１ａ，２５１ｂ、給気ファン２１０ａ，２１０ｂ、システム制御装置２９０、および設定端末２６１から構成される。なお、この換気システム２０１の対象となる居室Ｒ１は、セントラル空気調和システム２７０によって冷暖房可能になっている。以下、換気システム２０１の各構成部品およびセントラル空気調和システム２７０について詳述する。
【００８１】
（１）換気用給気ダクト
換気用給気ダクト２５１ａ，２５１ｂは、居室Ｒ１の側壁から外壁Ｗ１，Ｗ２に向かって延びており、外壁Ｗ１，Ｗ２および居室Ｒ１の側壁を貫通して設けられている。なお、本実施の形態では、外壁Ｗ１が南南東を向いており、外壁Ｗ２が北西に向いている。また、以下、換気用給気ダクト２５１ａ，２５１ｂが貫通することによって外壁Ｗ１，Ｗ２に形成された開口をそれぞれ、給気口２５５ａ，２５５ｂと称する。
【００８２】
（２）給気ファン
給気ファン２１０ａ，２１０ｂは、第１実施形態の変形例（Ｅ）に係る給気ファン１１０ａ，１１０ｂと同一の構成を有しており、給気口２５５ａ，２５５ｂに配置されている。
（３）セントラル空気調和システム
セントラル空気調和システム２７０は、主に、図示しないエアハンドリングユニット、
ＶＡＶユニット２７３、空調用給気ダクト２７１、および空調用還気ダクト２７２等から構成される。エアハンドリングユニットは、図示しない熱源機から冷水や温水を得てＶＡＶユニット２７３に供給する空気を冷却したり暖めたりする主機能を有するとともに、加湿機能も有する空調機ユニットである。ＶＡＶユニット２７３は、エアハンドリングユニットから空調用給気ダクト２７１を通じて送られてくる空気調和された空気を、その量を調整して居室Ｒ１に吹き出す設備機器である（図２０の破線矢印Ｆ１参照）。空調用還気ダクト２７２は、ＶＡＶユニット２７３から居室Ｒ１に吹き出された空気を再びエアハンドリングユニットに戻すためのダクトである（図２０の破線矢印Ｆ２参照）。
【００８３】
（３）システム制御装置
システム制御装置２９０は、屋内の天井裏に配置されている。このシステム制御装置２９０は、図２１に示されるように、主に、中央処理部２９１、ＲＡＭ（Random Access Memory）２９２、ＲＯＭ（Read Only Memory）２９３、ＥＥＰＲＯＭ（Electronically Erasable and Programmable Read Only Memory）２９７、Ｉ／Ｏ制御部２９４、タイマー２００、給気ファン用インターフェイス２９５、および設定端末用インターフェイス２９６から構成されている。ここで、中央処理部２９１、ＲＡＭ２９２、ＲＯＭ２９３、ＥＥＰＲＯＭ２９７、およびＩ／Ｏ制御部２９４は、例えば、マイクロコンピュータであって、相互に第３バス線２９８によって接続されており、１つの集積回路を構成している。また、タイマー２００は、年月日データおよび時刻データを出力可能な装置であって、第４バス線２９９ｄを介してＩ／Ｏ制御部２９４に接続されている。また、給気ファン用インターフェイス２９５および設定端末用インターフェイス２９６は、例えば、プリント回路基板等であって、第４バス線２９９ａ，２９９ｂを介してＩ／Ｏ制御部２９４に接続されている。
【００８４】
中央処理部２９１は、主に、制御部２９１Ａおよび演算部２９１Ｂを有する。制御部２９１Ａは、図２１に示されるように、ＲＯＭ２９３に記憶されている制御プログラムを読み込み（Ｆｄ６参照）、読み込んだ制御プログラムに従って演算部２９１Ｂ、ＲＡＭ２９２、ＲＯＭ２９３、ＥＥＰＲＯＭ２９７、およびＩ／Ｏ制御部２９４に動作を指示する（Ｆｃ１〜Ｆｃ５参照）。また、この制御部２９１Ａは、ＥＥＰＲＯＭ２９７に記憶されているデータを全消去することが可能である。
【００８５】
演算部２９１Ｂは、図２２に示されるように、制御部２９１Ａの命令に従って制御部２９１Ａ、ＲＡＭ２９２、ＲＯＭ２９３、およびＥＥＰＲＯＭ２９７から必要なデータを取得して（Ｆｄ１、Ｆｄ４、Ｆｄ７、およびＦｄ１０参照）演算処理（例えば、算術演算処理や論理演算処理等）を行う。また、この演算部２９１Ｂは、制御部２９１Ａの命令に従って、演算処理の処理結果データを制御部２９１Ａに供給することができる（Ｆｄ２参照）。また、この演算部２９１Ｂは、制御部２９１Ａの命令に従って、演算処理の処理結果データをＲＡＭ２９２に書き込むことができる（Ｆｄ３参照）。
【００８６】
ＲＡＭ２９２は、図２２に示されるように、制御部２９１Ａの指示に従って、各種データを制御部２９１Ａに供給することができる（Ｆｄ５参照）。また、このＲＡＭ２９２は、データをＩ／Ｏ制御部２９４から取得して（Ｆｄ９参照）一時記憶したり、演算部２９１Ｂから送信されるデータ（Ｆｄ３参照）を一時記憶したりする。また、このＲＡＭ２９２は、制御部２９１Ａの命令に応じて一時記憶しているデータをＩ／Ｏ制御部２９４に送信する（Ｆｄ８参照）。
【００８７】
ＲＯＭ２９３は、制御プログラムや各種データを格納しており、図２２に示されるように、制御部２９１Ａの指示に従って、それらを制御部２９１Ａに供給する（Ｆｄ６参照）。また、このＲＯＭ２９３は、制御部２９１Ａの指示に従って、各種データを演算部２９１Ｂに供給することができる（Ｆｄ７参照）。なお、この制御プログラムにはタイマープログラムが含まれているため、中央処理部２９１は、一定の周期で制御プログラムを実行することが可能になっている。
【００８８】
ＥＥＰＲＯＭ２９７は、電気的に内容を書き換えることができる HYPERLINK "http://e-words.jp/w/ROM.html" ＲＯＭであって、後述する制御テーブルＴＢ３および方位重み付けテーブルＴＢ２を格納している。そして、このＥＥＦＲＯＭ２９７は、図２２に示されるように、制御部２９１Ａの指示に従って、演算部２９１Ｂに制御テーブルＴＢ３および方位重み付けテーブルＴＢ２を提供する（Ｆｄ１０参照）。
【００８９】
Ｉ／Ｏ制御部２９４は、設定端末２６１から設定端末用インターフェイス２９６を介して送信されてくる各種データをＲＡＭ２９２へ入力したり（Ｆｄ９参照）、ＲＡＭ９２に記憶されている各種データ等を給気ファン用インターフェイス２９５へ出力したりする（Ｆｄ１０参照）。
給気ファン用インターフェイス２９５および設定端末用インターフェイス２９６は、給気ファン２１０ａ，２１０ｂ、および設定端末２６１から送信されてくる各種データを受信すると同時にそれらのデータを中央処理部２９１が処理可能な形式に変換する。なお、給気ファン用インターフェイス２９５には、ファンモータ用に対して５つのチャネル（図示せず）が設けられており、またダンパ専用モータに対しても５つのチャネル（図示せず）が設けられている。そして、それぞれのチャネルにはチャネル番号が付与されている。
【００９０】
（４）設定端末
設定端末２６１は、第６通信線２６０を介してシステム制御装置２９０の設定端末用インターフェイス２９６に通信接続されており、図２３に示されるように、主に、ケーシング２６９、表示部２６２、および入力部２６３等から構成される。
ケーシング２６９には、図２３に示されるように、表示部２６２および入力部２６３が埋設されている。また、このケーシング２６９には、図示しない中央処理部、ＲＡＭ、ＲＯＭ、Ｉ／Ｏ制御部、通信部、およびＥＥＰＲＯＭ等が内蔵されている。
【００９１】
表示部２６２は、換気制御に用いられる制御テーブルＴＢ３の作成に必要なデータを入力するための画面を表示する。
入力部２６３は、図２３に示されるように、決定キー２６４、右矢印キー２６５、下矢印キー２６６、左矢印キー２６７、および上矢印キー２６８から構成される。右矢印キー２６５および左矢印キー２６７は、主に、表示部２６２に表示されるカーソルを移動させるために用いられる。上矢印キー２６８および下矢印キー２６６は、主に、選択肢の選択を行うために用いられる。決定キー２６４は、画面遷移や、入力し終えたデータの送信などに用いられる。
【００９２】
ＥＥＰＲＯＭは、入力されたデータをテーブル形式で記憶する。通信部は、所定の画面において決定キー２６４が押されると、入力されているデータをシステム制御装置２９０に送信する。
［設定端末におけるデータ入力］
ここでは、設定端末２６１におけるデータ入力作業について説明する。
【００９３】
設定端末２６１に電源が投入されると、先ず、表示部２６２が、データ入力画面（図２３参照）を表示する。このデータ入力画面には、給気口名入力欄、チャネル番号入力欄、および方位入力欄がそれぞれ５つずつ表示される。給気口名入力欄には、給気口２５５ａ，２５５ｂの名称が入力される。この給気口名入力欄では、半角カタカナ入力が可能である。チャネル番号入力欄には、給気口名に対応する換気用給気ダクト２５１ａ，２５１ｂに配置されている給気ファン２１０ａ，２１０ｂが接続されている給気ファン用インターフェイス２９５のチャネル番号が入力される。このチャネル番号入力欄では、１から５の数値が入力可能である。方位入力欄には、給気口名に対応する給気口２５５ａ，２５５ｂの配置場所の方位が入力される。この給気口２５５ａ，２５５ｂの配置場所の方位は、給気口２５５ａ，２５５ｂが設けられる外壁Ｗ１，Ｗ２が向いている方位を意味する。また、方位入力欄では、１６方位が選択可能である。そして、給気口名入力欄、チャネル番号入力欄、および方位入力欄に入力されるデータは、行ごとに関連づけされる。そして、決定キー２６４が押されると、ＥＥＰＲＯＭが、入力データをテーブル形式で記憶するとともに通信部が第６通信線２６０を介してその入力データをシステム制御装置２９０に送信する。その後、その入力データは、システム制御装置２９０においてＩ／Ｏ制御部２９４によりＲＡＭ２９２に書き込まれる。
【００９４】
［システム制御装置による制御テーブルの作成］
ここでは、図２４に示されるフローチャートに従って、システム制御装置による制御テーブル作成について説明する。ここで、図２４は、システム制御装置による制御テーブル作成の流れを表すフローチャートである。
図２４において、ステップＳ２１では、演算部２９１Ｂが、制御部２９１Ａの指示に従って、ＲＡＭ９２から設定端末２６１において入力された入力データを取得する。ステップＳ２２では、Ｉ／Ｏ制御部２９４が制御部９１１の指示に従ってタイマー２００から年月日データを取得しＲＡＭ２９２に書き込んだ後、演算部２９１Ｂが制御部２９１Ａの指示に従ってＲＡＭ２９２から年月日データを取得する。ステップＳ２２では、演算部２９１Ｂが、制御部２９１Ａの指示に従って、その月データＭを確認する。ステップＳ２２の演算部２９１Ｂの確認の結果、月データＭが６月から９月のいずれかである場合は、ステップＳ２３に移る。ステップＳ２２の演算部２９１Ｂの確認の結果、月データＭが１２月３月のいずれかである場合は、ステップＳ２４に移る。ステップＳ２２の演算部２９１Ｂの確認の結果、月データＭが４月、５月、１０月、および１１月のいずれかである場合は、処理を終了する。ステップＳ２３では、演算部２９１Ｂが、制御部２９１Ａの指示に従って、ＥＥＰＲＯＭ２９７から夏季用の方位重み付けテーブルＴＢ２（図２５参照）を取得する。ステップＳ２４では、演算部２９１Ｂが、制御部２９１Ａの指示に従って、ＥＥＰＲＯＭ２９７から冬季用の方位重み付けテーブルＴＢ２（夏季用の重み付けと反対の重み付けがなされている）を取得する。ステップＳ２５では、演算部２９１Ｂが、制御部２９１Ａの指示に従って、方位重み付けテーブルＴＢ２の５：００（５時）の行をから、入力データに含まれている方位情報に該当する重み付け値を抽出する。ステップＳ２６では、演算部２９１Ｂが、制御部２９１Ａの指示に従って、ステップＳ２２において抽出した重み付け値のうち最大の重み付け値に該当する方位を選択する。ステップＳ２７では、演算部２９１Ｂが、制御部２９１Ａの指示に従って、ステップＳ２３において選択された方位に該当するチャネル番号を特定する。なお、ステップＳ２２からステップＳ２４までの処理は、時刻５時から１８時まで１時間単位でループされる（ループＡ）。ステップＳ２８では、制御部２９１Ａが、ＥＥＰＲＯＭ２９７に記憶されるデータを全消去する。ステップＳ２９では、演算部２９１Ｂが、制御部２９１Ａの指示に従って、時刻とチャネル番号とを関連づけたテーブルである制御テーブルＴＢ３（図２６参照）をＥＥＰＲＯＭ２９７に書き込む。
【００９５】
［システム制御装置による換気システムの制御］
ここでは、図２７および図２８に示されるフローチャートに従って、システム制御装置による換気システムの制御を説明する。ここで、図２７は、システム制御装置による換気制御の流れを表すフローチャートである。図２８は、給気口選択サブルーチンの流れを表すフローチャートである。
【００９６】
図２７において、ステップＳ１０１では、演算部２９１Ｂが、制御部２９１Ａの指示に従って、給気必要量Ｑｒを算出する。ステップＳ１０２では、演算部２９１Ｂが、制御部２９１Ａの指示に従って、演算処理を行い、給気が必要であるか否かを判定する。ステップＳ１０２の演算部２９１Ｂの判定の結果、給気が必要であると判定された場合は、ステップＳ１０３に移る。ステップＳ１０２の演算部２９１Ｂの判定の結果、給気が必要でないと判定された場合は、ステップＳ１１１に移る。ステップＳ１０３では、Ｉ／Ｏ制御部２９４が、制御部２９１Ａの指示に従って、タイマー２００から年月日データを取得し、ＲＡＭ２９２に書き込む。ステップＳ１０４では、演算部２９１Ｂが、制御部２９１Ａの指示に従って、ＲＡＭ２９２から年月日データを取得し、その月データＭが６月から９月又は１２月から３月であるかを判定する。ステップＳ１０４の演算部２９１Ｂの判定の結果、月データＭが６月から９月又は１２月から３月であると判定された場合は、ステップＳ１０５に移る。ステップＳ１０４の演算部２９１Ｂの判定の結果、月データＭが６月から９月又は１２月から３月でないと判定された場合は、ステップＳ１０８に移る。ステップＳ１０５では、演算部２９１Ｂが、制御部２９１Ａの指示に従って、給気可能最大量Ｑｍａｘが給気必要量Ｑｒよりも大きいか否かを判定する。ステップＳ１０５の演算部２９１Ｂの判定の結果、給気可能最大量Ｑｍａｘが給気必要量Ｑｒよりも大きいと判定された場合は、ステップＳ１０６に移る。ステップＳ１０５の演算部２９１Ｂの判定の結果、給気可能最大量Ｑｍａｘが給気必要量Ｑｒ以下であると判定された場合は、ステップＳ１０８に移る。ステップＳ１０６では、演算部２９１Ｂが、演算処理を行って、給気を行う給気口２５５ａ，２５５ｂを選択する（以下、このステップＳ１０６で行われる処理を給気口選択サブルーチンという。なお、この給気口選択サブルーチンについては図２８を用いて後に詳述する）。ステップＳ１０７では、Ｉ／Ｏ制御部２９４が、制御部２９１Ａの指示に従って、給気ファン２１０ａ，２１０ｂのファンモータを駆動させるための制御信号および給気ファン２１０ａ，２１０ｂのダンパを開状態とするための制御信号を、ステップＳ１０６において演算部２９１Ｂによって選択された給気口２５５ａ，２５５ｂに対応する給気ファン２１０ａ，２１０ｂに送信し、給気ファン２１０ａ，２１０ｂを停止させるための制御信号を、その他の給気ファン２１０ａ，２１０ｂに送信する。ステップＳ１０８では、Ｉ／Ｏ制御部２９４が、制御部２９１Ａの指示に従って、給気ファン２１０ａ，２１０ｂのファンモータを駆動させるための制御信号および給気ファン２１０ａ，２１０ｂのダンパを開状態とするための制御信号を全ての給気ファン２１０ａ，２１０ｂに送信する。ステップＳ１０９では、Ｉ／Ｏ制御部２９４が、制御部２９１Ａの指示に従って、給気ファン２１０ａ，２１０ｂのファンモータを停止させるための制御信号および給気ファン２１０ａ，２１０ｂのダンパを閉状態とするための制御信号を全ての給気ファン２１０ａ，２１０ｂに送信する。
【００９７】
なお、この制御は、制御部２９１Ａによって一定周期（例えば、３０分）で実行される。
次に、給気口選択サブルーチンについて詳述する。
図２８において、ステップＳ１８１では、Ｉ／Ｏ制御部２９４が制御部２９１Ａの指示に従ってタイマー２００から時刻データを取得しＲＡＭ２９２に書き込んだ後、演算部２９１Ｂが制御部２９１Ａの指示に従ってＲＡＭ２９２から時刻データを取得する。ステップＳ１８２では、演算部２９１Ｂが、制御部２９１Ａの指示に従って、ＥＥＰＲＯＭ２９７から制御テーブルＴＢ３を取得する。ステップＳ１８３では、演算部２９１Ｂが、制御部２９１Ａの指示に従って、ステップＳ１８１において取得された時刻データに該当するチャネル番号を取得する。その後、Ｉ／Ｏ制御部２９４が、制御部２９１Ａの指示に従って、給気ファン２１０ａ，２１０ｂのファンモータを駆動させるための制御信号および給気ファン２１０ａ，２１０ｂのダンパを開状態とするための制御信号を、ステップＳ１８３において取得したチャネル番号に対応するチャネルを介して給気ファン２１０ａ，２１０ｂに送信し、給気ファン２１０ａ，２１０ｂのファンモータを停止させるための制御信号および給気ファン２１０ａ，２１０ｂのダンパを閉状態とするための制御信号を、その他のチャネルを介して給気ファン２１０ａ，２１０ｂに送信する。
【００９８】
［換気システムの特徴］
（１）
第２実施形態に係る換気システム２０１では、システム制御装置２９０が、時刻データを制御テーブルＴＢ３に照合して、複数の換気用給気ダクト２５１ａ，２５１ｂのうちいずれの換気用給気ダクト２５１ａ，２５１ｂを通じて外気を給気として居室Ｒ１に供給するかを決定する。第２実施形態では、給気口２５５ａ，２５５ｂが北西および南南東に配置されているため、特に日中では給気口２５５ａの付近の外気が暖かく給気口２５５ｂの付近の外気が冷たい傾向がある。そして、この換気システム２０１では、その月が６月から９月のいずれかの月である場合（すなわち、セントラル空気調和システム２７０が居室Ｒ１を冷房していると想定される場合）、日の当たらない外壁Ｗ１，Ｗ２に設けられる給気口２５５ａ，２５５ｂから外気を居室Ｒ１に供給する。また、逆に、この換気システム２０１では、その月が１２月から３月のいずれかの月である場合（すなわち、セントラル空気調和システム２７０が居室Ｒ１を暖房していると想定される場合）、日の当たる外壁Ｗ１，Ｗ２に設けられる給気口２５５ａ，２５５ｂから外気を居室Ｒ１に供給する。したがって、この換気システム２０１では、セントラル空気調和システム２７０の消費エネルギー量を低減することができる。この結果、この換気システム２０１では、省エネルギー化の促進を実現することができる。
【００９９】
（２）
第２実施形態に係る換気システム２０１では、設定端末２６１において給気口２５５ａ，２５５ｂの方位と給気ファン２１０ａ，２１０ｂが接続されている給気ファン用インターフェイス２９５のチャネル番号とが関連づけられる。また、ＥＥＰＲＯＭ２９７が、各時間帯において方位を重み付けした方位重み付けテーブルＴＢ２を保持する。そして、システム制御装置２９０では、給気口２５５ａ，２５５ｂの方位と給気ファン２１０ａ，２１０ｂが接続されている給気ファン用インターフェイス２９５のチャネル番号との関係および各時間帯における方位の重み付けから制御テーブルＴＢ３が導出される。このため、この換気システム２０１では、給気口２５５ａ，２５５ｂに対して給気ファン用インターフェイス２９５のチャネル番号と方位とが登録されれば、自動的に制御テーブルＴＢ３が作製され、自動的に最適な給気口２５５ａ，２５５ｂから給気されるようにすることができる。
【０１００】
（３）
第２実施形態に係る換気システム２０１では、設定端末２６１において給気口２５５ａ，２５５ｂの登録、再設定、あるいは削除が可能である。このため、この換気システム２０１では、例えば、いずれかの換気用給気ダクト２５１ａ，２５１ｂを閉鎖した場合などに容易に換気システム２０１を再構築することができたり、交通量の多い道路に面する給気口２５５ａ，２５５ｂに対応する換気用給気ダクト２５１ａ，２５１ｂ等を対象から除外することができたりする。
【０１０１】
（４）
第２実施形態に係る換気システム２０１では、夏季用の方位重み付けテーブルＴＢ２と冬季用の方位重み付けテーブルＴＢ２とが、用意されている。このため、この換気システム２０１では、より適切な換気制御が可能となり、省エネルギー化の促進を実現することができる。
【０１０２】
（５）
第２実施形態に係る換気システム２０１では、換気用給気ダクト２５１ａ，２５１ｂそれぞれにダンパが設けられており、システム制御装置２９０がそのダンパの開閉状態を決定する。このため、この換気システム２０１では、容易に適切な給気口２５５ａ，２５５ｂから外気を取り入れを行うことができる。
【０１０３】
（６）
第２実施形態に係る換気システム２０１では、システム制御装置２９０が、一定周期で給気必要量Ｑｒを算出し、給気必要量Ｑｒと給気可能最大量Ｑｍａｘとの大小を比較した結果、給気必要量Ｑｒが給気可能最大量Ｑｍａｘよりも小さい場合に限って、稼働させる給気ファン２１０ａ，２１０ｂを選択する。このため、この換気システム２０１では、法定基準などを遵守することができる。
【０１０４】
［変形例］
（Ａ）
第２実施形態に係る換気システム２０１では、給気口２５５ａ，２５５ｂの配置場所の方位とは、給気口２５５ａ，２５５ｂが設けられる外壁Ｗ１，Ｗ２が向いている方位を意味していた。しかし、給気口２５５ａ，２５５ｂの配置場所の方位は、居室Ｒ１が設けられている建造物内部の所定の位置から見た場合の方位であってもかまわない。
【０１０５】
（Ｂ）
第２実施形態に係る換気システム２０１では、夏季用の方位重み付けテーブルＴＢ２と冬季用の方位重み付けテーブルＴＢ２とが別々に用意されていたが、例えば、夏季用の方位重み付けテーブルＴＢ２を用意しておいて冬季（１２月から３月）にも対応できるようにしてもよい。この場合、冬季では、重み付けの低い方位に設けられる給気口２５５ａ，２５５ｂが選択されるようにしておく。
【０１０６】
（Ｃ）
第２実施形態に係る換気システム２０１では、２つの換気用給気ダクト２５１ａ，２５１ｂがそれぞれ独立して居室Ｒ１に導かれており、それらの換気用給気ダクト２５１ａ，２５１ｂそれぞれに給気ファン２１０ａ，２１０ｂが設けられていた。
本発明は、このような構成を有する換気システム２０１に限られず、図２９に示されるような構成を有する換気システム３０１にも適用可能である。
【０１０７】
図２９に示される換気システム３０１は、主に、換気用給気ダクト３５１ａ，３５１ｂ、給気ファン３１２、ダンパ３１５ａ，３１５ｂ、システム制御装置３９０、および設定端末２６１から構成される。ここで、換気用給気ダクト３５１ａ，３５１ｂは第２実施形態に係る換気システム２０１と同様に居室Ｒ１の側壁および外壁Ｗ１，Ｗ２を貫通して設けられているが、居室側の端口が、天井裏に配置される送風口３１３に接続されている点で第２実施形態に係る換気システム２０１と異なる。給気ファン３１２は、送風口３１３内に配置されている。そして、この給気ファン３１２のファンモータは、第７通信線３５８を介してシステム制御装置３９０に通信接続されている。ダンパ３１５ａ，３１５ｂは、各換気用給気ダクト３５１ａ，３５１ｂに設けられている。そして、このダンパ３１５ａ，３１５ｂの開閉用モータは、第８通信線３５９ａ，３５９ｂを介してシステム制御装置３９０に通信接続されている。設定端末２６１は、第２実施形態に係る換気システム２０１を構成した設定端末２６１と同一のものである。ただし、チャネル設定の対象は、ダンパ３１５ａ，３１５ｂ用のチャネルのみとなる。
【０１０８】
そして、この換気システム３０１では、システム制御装置３９０が、第２実施形態に係る換気システム２０１のシステム制御装置２９０と同様の態様で、ダンパ３１５ａ，３１５ｂの開閉状態を制御する。しかし、給気ファン３１２はシステム制御装置３９０が給気を行うと判断したときに稼働されるという点で第２実施形態に係る換気システム２０１とは異なる。
【０１０９】
（Ｄ）
第２実施形態に係る換気システム２０１では、２つの換気用給気ダクト２５１ａ，２５１ｂがそれぞれ独立して居室Ｒ１に導かれており、それらの換気用給気ダクト２５１ａ，２５１ｂそれぞれに給気ファン２１０ａ，２１０ｂが設けられていた。
本発明は、このような構成を有する換気システム２０１に限られず、図３０に示されるような構成を有する換気システム４０１にも適用可能である。
【０１１０】
図３０に示される換気システム４０１は、換気用給気ダクト４５１ａ，４５１ｂ、給気ファン４１２、ダンパ４１５、システム制御装置４９０、および設定端末２６１から構成される。ここで、換気用給気ダクト４５１ａ，４５１ｂは第２実施形態に係る換気システム２０１と同様に居室Ｒ１の側壁および外壁Ｗ１，Ｗ２を貫通して設けられているが、換気用給気ダクト４５１ａ，４５１ｂが居室側において合流しており送風口４１３に接続されている点で第２実施形態に係る換気システム２０１と異なる。給気ファン４１２は、送風口４１３内に配置されている。そして、この給気ファン４１２のファンモータは、第９通信線４５８を介してシステム制御装置４９０に通信接続されている。ダンパ４１５は、換気用給気ダクト３５１ａ，３５１ｂの合流点に設けられている。そして、このダンパ４１５の開閉用モータは、第１０通信線４５９を介してシステム制御装置４９０に通信接続されている。設定端末２６１は、第２実施形態に係る換気システム２０１を構成した設定端末２６１と同一のものである。ただし、この設定端末２６１では、チャネル設定が設定されるのではなく、ダンパ４１５の状態が設定される。
【０１１１】
そして、この換気システム４０１では、システム制御装置４９０が、ダンパ４１５の状態を制御する。給気ファン４１２はシステム制御装置４９０が給気を行うと判断したときに稼働される。
なお、換気用給気ダクトが３つ以上あり全ての換気用給気ダクトが居室側で合流する場合は、ダンパではなく多方弁を採用する必要がある。また、換気システムの構成部品として全熱交換器が採用される場合は、全熱交換器の屋外側の給気口に換気用給気ダクトが合流する。
【０１１２】
（Ｅ）
第２実施形態に係る換気システム２０１では、ダンパ付きの給気ファンが設けられたが、屋外の気圧が居室Ｓ１の気圧よりも高い場合はダンパのみを設けてもよい。
（Ｆ）
第２実施形態に係る換気システム２０１では、天井裏の外壁Ｗ１，Ｗ２に給気口２５５ａ，２５５ｂが設けられたが、居室Ｓ１が角部屋などである場合は、居室Ｓ１の外壁に給気口が設けられてもよい。この場合は、その給気口にダンパや給気ファンが設置されることになる。
【産業上の利用可能性】
【０１１３】
本発明に係る換気システムは、省エネルギー化の促進を実現することができるという特徴を有し、ビルや家屋の換気に有効である。
【図面の簡単な説明】
【０１１４】
【図１】第１実施形態に係る換気システムのシステム構成図。
【図２】第１実施形態に係る天井埋設型の室内機の外観斜視図。
【図３】第１実施形態に係る天井埋設型の室内機の縦断面図。
【図４】第１実施形態に係る天井埋設型の室内機の本体内部を示す下面図。
【図５】第１実施形態に係る全熱交換器の内部構造を示す斜視図。
【図６】第１実施形態に係る全熱交換器の上面図。
【図７】第１実施形態に係る全熱交換器の側面図。
【図８】第１実施形態に係る全熱交換器の分解斜視図。
【図９】第１実施形態に係る全熱交換器の仕切板の斜視図。
【図１０】第１実施形態に係る全熱交換器の仕切板の斜視図。
【図１１】第１実施形態に係る全熱交換器の熱交換エレメントの構造を示す斜視図。
【図１２】第１実施形態に係るシステム制御装置の構成図。
【図１３】第１実施形態に係るシステム制御装置における制御信号およびデータの流れを示す図。
【図１４】第１実施形態に係るシステム制御装置による換気制御の流れを表すフローチャート。
【図１５】第１実施形態に係る給気口選択サブルーチンの流れを表すフローチャート。
【図１６】第１実施形態に係る第１関連テーブルを示す図。
【図１７】第１実施形態の変形例（Ｅ）に係る換気システム１０１のシステム構成図。
【図１８】第１実施形態の変形例（Ｅ）に係る給気ファンの正面図。
【図１９】（ａ）給気ファンのダンパが閉状態にある場合のＡ−Ａ断面図、（ｂ）給気ファンのダンパが開状態にある場合のＡ−Ａ断面図。
【図２０】第２実施形態に係る換気システムのシステム構成図。
【図２１】第２実施形態に係るシステム制御装置の構成図。
【図２２】第２実施形態に係るシステム制御装置における制御信号およびデータの流れを示す図。
【図２３】第２実施形態に係る設定端末を示す図。
【図２４】第２実施形態に係るシステム制御装置による制御テーブル作成の流れを表すフローチャート。
【図２５】第２実施形態に係る方位重み付けテーブルを表す図。
【図２６】第２実施形態に係る制御テーブルを表す図。
【図２７】第２実施形態に係るシステム制御装置による換気制御の流れを表すフローチャート。
【図２８】第２実施形態に係る給気口選択サブルーチンの流れを表すフローチャート。
【図２９】第２実施形態の変形例（Ｃ）に係る換気システムのシステム構成図。
【図３０】第２実施形態の変形例（Ｄ）に係る換気システムのシステム構成図。
【符号の説明】
【０１１５】
１，１０１，２０１，３０１，４０１      換気システム
１２      熱交換エレメント（熱交換部材）
１６，１１０ａ，１１０ｂ，２１０ａ，２１０ｂ，３１２，４１２      給気ファン（送風装置）
４８      排出通路（排出路）
４９      給気通路（給気路）
５１ａ，５１ｂ      屋外側給気管（給気路）
５２ａ，５２ｂ      屋内側給気管（給気路）
５５ａ，５５ｂ，１５５ａ，１５５ｂ      給気口（屋外側の端口）
６０ａ，６０ｂ      温湿度センサ（外気状態情報取得手段）
９０，２９０，３９０，４９０      システム制御装置（給気方法決定手段，給気必要量決定手段，比較手段，給気方法決定手段選択実行手段）
１１５，３１５ａ，３１５ｂ      ダンパ（開閉装置）
１５１ａ，１５１ｂ      給気管（給気路）
２００      タイマー（時刻情報取得手段）
２５１ａ，２５１ｂ，３５１ａ，３５１ｂ，４５１ａ，４５１ｂ      換気用給気ダクト（給気路）
２９０，３９０，４９０      システム制御装置（第１関連テーブル導出手段）
２９７      ＥＥＰＲＯＭ（第１関連テーブル保持手段，第３関連テーブル保持手段）
４１５      ダンパ（開放遮断装置）
Ｓ１      居室
ＴＢ２      方位重み付けテーブル（第３関連テーブル）
ＴＢ３      制御テーブル（第１関連テーブル）
Ｑｒ      給気必要量
Ｑｍａｘ      給気可能最大量
【図１】
2006098006.tif 000003
【図２】
2006098006.tif 000004
【図３】
2006098006.tif 000005
【図４】
2006098006.tif 000006
【図５】
2006098006.tif 000007
【図６】
2006098006.tif 000008
【図７】
2006098006.tif 000009
【図８】
2006098006.tif 000010
【図９】
2006098006.tif 000011
【図１０】
2006098006.tif 000012
【図１１】
2006098006.tif 000013
【図１２】
2006098006.tif 000014
【図１３】
2006098006.tif 000015
【図１４】
2006098006.tif 000016
【図１５】
2006098006.tif 000017
【図１６】
2006098006.tif 000018
【図１７】
2006098006.tif 000019
【図１８】
2006098006.tif 000020
【図１９】
2006098006.tif 000021
【図２０】
2006098006.tif 000022
【図２１】
2006098006.tif 000023
【図２２】
2006098006.tif 000024
【図２３】
2006098006.tif 000025
【図２４】
2006098006.tif 000026
【図２５】
2006098006.tif 000027
【図２６】
2006098006.tif 000028
【図２７】
2006098006.tif 000029
【図２８】
2006098006.tif 000030
【図２９】
2006098006.tif 000031
【図３０】
2006098006.tif 000032